(57)【要約】【課題】締結部の締結力が弱くなったとしても、電気的抵抗が増大することを防止する。【解決手段】端子台１０は、ねじ孔が設けられた端面と、周面とを有する端子部１４と、端子部１４の周面に対向する内周面を有する筒部３１と、端子部１４の前記端面に接触する第１接触面及び平板状端子２０に接触する第２接触面を有する接触部３２ｃと、接触部３２ｃとの間に平板状端子２０を挟み込む挟持部３３とを備えた端子接続継ぎ手１６と、前記ねじ孔に螺合する雄ねじ部と、平板状端子２０を押圧する方向に挟持部３３を押圧する頭部１８ｂとを有する固定ボルト１８と、を備える。接触部３２ｃは、筒部３１に弾性的に支持されて平板状端子２０を押圧するように構成されている。【選択図】図２
2014116222.tif 000002
【特許請求の範囲】
【請求項１】
ねじ孔が設けられた端面と、周面とを有する端子部と、
前記端子部の周面に対向する内周面を有する筒部と、前記端子部の前記端面に接触する第１接触面及び平板状端子に接触する第２接触面を有する接触部と、前記接触部との間に前記平板状端子を挟み込む挟持部とを備えた端子接続継ぎ手と、
前記ねじ孔に螺合する雄ねじ部と、前記平板状端子を押圧する方向に前記挟持部を押圧する押え部とを有する締結部と、を備え、
前記接触部は、前記筒部に弾性的に支持される一方で前記押え部による押圧力を受けるように構成されている端子台。
【請求項２】
前記筒部における前記接触部と反対側に端部には、内周面側に曲げられることによって突出部が形成され、
前記突出部は、前記端子部の前記周面に形成された凹部に挿入されている請求項１に記載の端子台。
【請求項３】
前記筒部と前記端子部との間には、環状に形成されたコイルばねが介装されている請求項１又は２に記載の端子台。
【請求項４】
前記端子接続継ぎ手は、１枚の板材によって成形されている請求項１から３の何れか１項に記載の端子台。
【請求項５】
端子台に設けられた端子部と平板状端子とを電気的に接続するための端子接続継ぎ手であって、
前記端子部の周面に対向する内周面を有する筒部と、
前記端子部の端面に接触する第１接触面及び前記平板状端子に接触する第２接触面を有する接触部と、
前記接触部との間に前記平板状端子を挟み込む挟持部と、を備え、
前記接触部は、前記筒部に弾性的に支持されて前記平板状端子を押圧するように構成されている端子接続継ぎ手。
【請求項６】
前記筒部における前記接触部と反対側に端部には、内周面側に曲げられることによって突出部が形成されている請求項５に記載の端子接続継ぎ手。
【請求項７】
１枚の板材によって成形されている請求項５又は６に記載の端子接続継ぎ手。
【発明の詳細な説明】
【技術分野】
【０００１】
本発明は、端子接続継ぎ手及び端子台に関するものである。
【背景技術】
【０００２】
従来、端子台として、下記特許文献１に開示されているように、コンタクトボルトの基端部に形成されたフランジ部と、該コンタクトボルトに螺合されたナットとの間に端子を挟み込んで該端子を固定するように構成された端子台が知られている。
【先行技術文献】
【特許文献】
【０００３】
【特許文献１】特開２００７−２０７４９４号公報
【発明の概要】
【発明が解決しようとする課題】
【０００４】
前記特許文献１に開示された端子台のように、ボルト及びナット（締結部）の締結力によって端子を固定する構成では、例えば航空機に用いられた場合に、継続的に振動を受けることによってナットが次第に緩むことがある。このため、締結部と端子との接触面積が低下して電気的抵抗が増大する虞がある。
【０００５】
そこで、本発明は、前記従来技術を鑑みてなされたものであり、その目的とするところは、締結部の締結力が弱くなったとしても、電気的抵抗が増大することを防止することにある。
【課題を解決するための手段】
【０００６】
前記の目的を達成するため、本発明は、ねじ孔が設けられた端面と、周面とを有する端子部と、前記端子部の周面に対向する内周面を有する筒部と、前記端子部の前記端面に接触する第１接触面及び平板状端子に接触する第２接触面を有する接触部と、前記接触部との間に前記平板状端子を挟み込む挟持部とを備えた端子接続継ぎ手と、前記ねじ孔に螺合する雄ねじ部と、前記平板状端子を押圧する方向に前記挟持部を押圧する押え部とを有する締結部と、を備え、前記接触部は、前記筒部に弾性的に支持される一方で前記押え部による押圧力を受けるように構成されている端子台である。
【０００７】
本発明では、締結部の雄ねじ部が端子部のねじ孔に螺合されることにより、締結部の押え部によって端子接続継ぎ手の挟持部を押圧することができ、これにより、該挟持部が平板状端子の一方の面を押圧している。また、端子接続継ぎ手の接触部が、端子部の周面に対向する内周面を有する筒部に弾性的に支持されており、平板状端子のもう一方の面が押圧されている。このように、ねじによる締結力と、接触部を支持する弾性力とによって端子接続継ぎ手と端子部との接触が確保されている。しかも、弾性力によって、ねじによる締結力とは反対側から平板状端子が押圧されるので、振動を継続的に受けることによってねじでの締結力が仮に弱くなることがあったとしても、弾性力によって挟持部及び接触部と平板状端子との接触が確保される。したがって、接触面積が低下することによって電気的抵抗が増大することがなく、電気的抵抗増大による発熱を防止することができる。
【０００８】
前記端子台において、前記筒部における前記接触部と反対側に端部には、内周面側に曲げられることによって突出部が形成されていてもよい。この場合、前記突出部は、前記端子部の前記周面に形成された凹部に挿入されていてもよい。
【０００９】
この態様では、突出部が凹部に挿入されているので、端子接続継ぎ手が端子部に係止される。このため、端子接続継ぎ手が端子部に対して軸方向に移動しないので、端子接続継ぎ手の脱落防止を図ることができる。
【００１０】
前記筒部と前記端子部との間には、環状に形成されたコイルばねが介装されていてもよい。
【００１１】
この態様では、筒部と端子部との間にコイルばねが介装されることによって端子接続継ぎ手が端子部に対して動き難くなる。したがって、端子接続継ぎ手を安定して保持することができる。
【００１２】
前記端子接続継ぎ手は、１枚の板材によって成形されていてもよい。
【００１３】
この態様では、端子台を構成する部品の部品点数が増大するのを抑制することができ、しかも端子台への組み付け作業を簡素化することができる。
【００１４】
本発明は、端子台に設けられた端子部と平板状端子とを電気的に接続するための端子接続継ぎ手であって、前記端子部の周面に対向する内周面を有する筒部と、前記端子部の端面に接触する第１接触面及び前記平板状端子に接触する第２接触面を有する接触部と、前記接触部との間に前記平板状端子を挟み込む挟持部と、を備え、前記接触部は、前記筒部に弾性的に支持されて前記平板状端子を押圧するように構成されている端子接続継ぎ手である。
【００１５】
前記端子接続継ぎ手において、前記筒部における前記接触部と反対側に端部には、内周面側に曲げられることによって突出部が形成されていてもよい。
【００１６】
前記端子接続継ぎ手は、１枚の板材によって成形されていてもよい。
【発明の効果】
【００１７】
以上説明したように、本発明によれば、締結部の締結力が弱くなったとしても、電気的抵抗が増大することを防止することができる。
【図面の簡単な説明】
【００１８】
【図１】本発明の実施形態に係る端子台の斜視図である。
【図２】前記端子台における端子部と平板状端子との接続部を拡大して示す斜視図である。
【図３】端子接続継ぎ手の斜視図である。
【図４】図２のＩＶ−ＩＶ線における断面図である。
【発明を実施するための形態】
【００１９】
以下、本発明を実施するための形態について図面を参照しながら詳細に説明する。
【００２０】
本実施形態に係る端子台１０は、航空機に搭載される制御装置と、その電源とを電気的に接続するための端子台であり、図１に示すように、ベース１２と、ベース１２に固定された端子部１４と、平板状端子２０を端子部１４に取り付けるための端子接続継ぎ手１６と、端子接続継ぎ手１６を固定するための固定ボルト１８と、を備えている。
【００２１】
ベース１２は一方向に長い矩形状の平板状に形成されており、その長手方向に複数の端子部１４が並ぶように設けられている。真ん中の端子部１４は、両端の端子部１４よりも背が高く形成されている。ベース１２の端部には、ベース１２を図外の固定体に固定する図略のボルトを挿通させる挿通孔１２ａが形成されている。なお、真ん中の端子部１４が両端の端子部１４よりも背が高くなる構成に限られるものではない。
【００２２】
各端子部１４は、ベース１２を厚み方向に貫通した状態でベース１２に固定されている。端子部１４は全体として円柱状に形成されていて、ベース１２上に設けられた保持部２２に保持されることによって安定してベース１２に支持されている。端子部１４の先端面（上端面）は平坦に形成されており、先端面の中央部には、軸方向に延びるねじ孔１４ａが形成されている。このねじ孔１４ａは締結部の雌ねじとなる。なお、端子部１４は円柱状に形成されている必要はなく、周面を有する形状であればよい。例えば、端子部１４は角柱状に形成されていてもよい。
【００２３】
平板状端子２０は、薄くて細長い平板状の端子であって可撓性を有する。端子部１４及び平板状端子２０の一方は、制御装置に接続されており、他方は制御装置の電源に接続されている。
【００２４】
端子接続継ぎ手１６は、図２〜図４に示すように、筒部３１と、受け部３２と、挟持部３３とを備えている。筒部３１は、円筒状に形成されて、円柱状の端子部１４の周面１４ｂを周方向の全体に亘って覆う部位であり、筒部３１の内周面３１ａは端子部１４の周面１４ｂに対向している。筒部３１は平板状の部材を円筒状に丸めることによって形成されている。本実施形態では、後述する一対の延出部３２ａの下端にそれぞれ繋がる半割円筒状の部材を対向させることにより、全体として円筒状に形成されている。なお、筒部３１は、円筒状に限られるものではなく、内周面を有する形状であればよい。例えば、端子部１４が角柱状に形成される場合には、筒部３１は角筒状に形成されていてもよい。
【００２５】
受け部３２は、筒部３１の端部（上端部）において互いに対向する二つの部位（半割筒状の部位）からそれぞれ延出されて、互いに向かい合う方向に折り曲げられることにより形成されている。すなわち、受け部３２は、筒部３１の端部における互いに対向する二つの部位から互いに反対向きに斜め方向に延出される一対の延出部３２ａと、この各延出部３２ａの端部から逆向きになるように折り返される一対の曲がり部３２ｂと、両曲がり部３２ｂをつなぐように、端子部１４の軸方向（長手方向）に垂直で且つ一方向に長い矩形平面状に形成された接触部３２ｃと、を備えている。すなわち、接触部３２ｃは、その長手方向の両端部において、曲がり部３２ｂ及び延出部３２ａを介して筒部３１に繋がっている。
【００２６】
受け部３２は、曲がり部３２ｂにおいて略１８０度折り曲げられているため、受け部３２の接触部３２ｃは、図４の上側に向かって板材の曲げ弾性力を受けている。すなわち、延出部３２ａと曲がり部３２ｂとは、接触部３２ｃを弾性的に支持する弾性支持部を構成している。したがって、接触部３２ｃは、弾性力によって平板状端子２０を下（第１方向）から押圧している。
【００２７】
筒部３１の下端部（受け部３２と反対側の端部）には、径方向内側に突出する突出部３１ｂが設けられている。突出部３１ｂは、筒部３１の下端部を内側に曲げることによって形成されている。この突出部３１ｂは、端子部１４の周面１４ｂに形成された凹部としての凹溝１４ｃに挿入されている。すなわち、端子部１４への端子接続継ぎ手１６の組み付け時において、端子接続継ぎ手１６を下向きに移動させると、筒部３１の突出部３１ｂが端子部１４の凹溝１４ｃに嵌り込むため、この位置で端子接続継ぎ手１６は、端子部１４に対して位置固定される。
【００２８】
挟持部３３は、受け部３２の接触部３２ｃにおける長手方向と直交する方向（幅方向）の両端部から延出された挟持用延出部３３ａが、互いに向かい合い方向に折り曲げられることにより、受け部３２の接触部３２ｃと平行で且つ一方向に長い矩形平面状に形成されることによって構成されている。受け部３２の両側からそれぞれ延出された挟持用延出部３３ａが互いに近づく方向に折り曲げられているので、その先端部どうしは互いに当接している。なお、図例では、挟持用延出部３３ａが受け部３２の幅方向両端部からそれぞれ延出されて折り曲げられた構成としているが、これに限られるものではない。例えば、挟持用延出部３３ａが受け部３２の幅方向の一端部から延出されて折り曲げられた構成としてもよい。この場合、挟持用延出部３３ａは、受け部３２と同じ面積で受け部３２と平行になる大きさで、延出されることになる。
【００２９】
端子接続継ぎ手１６を作成するには、受け部３３の接触部３２ｃを構成する部位の両端部（幅方向の両端部）から延出された挟持用延出部３３ａをそれぞれ互いに向かい合う方向に折り曲げるとともに、受け部３３の接触部３２ｃを構成する部位の両端部（長手方向の両端部）から延出された曲がり部３２ｂ及び延出部３２ａを曲げていく。この延出部３２ａの先端にはそれぞれ、半割筒状の部位が形成されているので、この半割筒状の部位が対向して筒状になるように、曲がり部３２ｂ及び延出部３２ａを構成する部位を曲げればよい。
【００３０】
受け部３２の接触部３２ｃにおける下面（裏側面）３２ｅは、端子部１４の先端面に当接し、受け部３２の接触部３２ｃの上面（表側面）３２ｆは平板状端子２０に当接している。すなわち、受け部３２の接触部３２ｃにおける下面３２ｅは、端子部１４の先端面に接触する第１接触面となり、受け部３２の接触部３２ｃにおける上面３２ｆは、平板状端子２０に接触する第２接触面となっている。
【００３１】
挟持部３３の下面（裏側面）３３ｃは、平板状端子２０に接触する接触面となっており、また、挟持部３３の上面（表側面）３３ｄは、ワッシャー３６を介して固定ボルト１８の頭部１８ｂによって押圧される被押圧面なっている。
【００３２】
挟持部３３は、固定ボルト１８によって上から押さえ付けられるため、挟持部３３の下面３３ｃは平板状端子２０を上（第１方向とは反対の向きである第２方向）から押圧している。そして、受け部３２は、挟持部３３による押圧力を平板状端子２０を介して受けている。
【００３３】
受け部３２の中央部には固定ボルト１８の雄ねじ部１８ａを挿通させる挿通孔３２ｄ（図４参照）が形成されている。また、挟持部３３の中央部には固定ボルト１８の雄ねじ部１８ａを挿通させる挿通孔３３ｂ（図４参照）が形成されている。
【００３４】
端子接続継ぎ手１６は、１枚の板材によって成形されている。すなわち、板材の一部（第１部位）を円筒状に曲げることにより筒部３１を形成し、板材の第１部位の端部から延出される部位（第２部位）を折り曲げて受け部３２を形成し、受け部３２の幅方向両側から延出する部位（第３部位）を折り曲げて挟持部３３を形成する。このようにして、端子接続継ぎ手１６は、１枚の板材から形成することができる。
【００３５】
図４に示すように、筒部３１の内周面３１ａと端子部１４との間には、環状に形成されたコイルばね３８が介装されている。すなわち、端子部１４の周面１４ｂには、周方向の全体に亘って、周方向に延びる溝１４ｄが形成されており、この溝１４ｄ内にコイルばね３８が配置されている。図４は、筒部３１と端子部１４とはコイルばね３８を介して接触し、筒部３１と端子部１４とが直接接触していない例を示しているが、筒部３１と端子部１４とは接触していてもよい。筒部３１と端子部１４との間にコイルばね３８が配置されることにより、筒部３１が端子部１４に対して動き難くなる。
【００３６】
固定ボルト１８は、ねじ孔１４ａに螺合する雄ねじ部１８ａと、雄ねじ部１８ａの端部に形成される押え部としての頭部１８ｂとを有する締結部として機能する。頭部１８ｂは、ワッシャー３６を介して平板状端子２０を押圧する方向に挟持部３３を押圧する。固定ボルト１８を端子部１４のねじ孔１４ａにねじ込んでいくと、固定ボルト１８の頭部１８ｂがワッシャー３６を介して挟持部３３を上から押圧し、これにより、平板状端子２０が上から受け部３２の接触部３２ｃを押圧する。このため、曲がり部３２ｂ及び延出部３２ａが弾性変形しながら接触部３２ｃが下方に変位して、該接触部３２ｃは端子部１４の先端面に接触する。すなわち、曲がり部３２ｂ及び延出部３２ａが弾性変形した状態で接触部３２ｃを支持している。したがって、平板状端子２０は、上から固定ボルト１８による締め付け力を受ける一方、下から接触部３２ｃによる弾性力を受けている。
【００３７】
以上説明したように、本実施形態では、固定ボルト１８の雄ねじ部１８ａが端子部１４のねじ孔１４ａに螺合されることにより、固定ボルト１８の頭部１８ｂによって端子接続継ぎ手１６の挟持部３３を押圧することができ、これにより、該挟持部３３が平板状端子２０の一方の面（図４における上側面）を押圧している。また、端子接続継ぎ手１６の接触部３２ｃが、筒部３１に弾性的に支持されており、平板状端子２０のもう一方の面（図４における下側の面）が押圧されている。このように、ねじによる締結力と、接触部３２ｃを支持する弾性力とによって端子接続継ぎ手１６と端子部１４との接触が確保されている。しかも、弾性力によって、ねじによる締結力とは反対側から平板状端子２０が押圧されるので、振動を継続的に受けることによってねじでの締結力が仮に弱くなることがあったとしても、弾性力によって挟持部３３及び接触部３２ｃと平板状端子２０との接触が確保される。したがって、接触面積が低下することによって電気的抵抗が増大することがなく、電気的抵抗増大による発熱を防止することができる。
【００３８】
また本実施形態では、筒部３１の突出部３１ｂが端子部１４の凹溝１４ｃに挿入されているので、端子接続継ぎ手１６が端子部１４に係止される。このため、端子接続継ぎ手１６が端子部１４に対して軸方向に移動しないので、端子接続継ぎ手１６の脱落防止を図ることができる。
【００３９】
また本実施形態では、筒部３１と前記端子部１４との間にコイルばね３８が介装されているので、端子接続継ぎ手１６が端子部１４に対して動き難くなる。したがって、端子接続継ぎ手１６を安定して保持することができる。
【００４０】
また本実施形態では、端子接続継ぎ手１６が１枚の板材によって成形されているので、端子台１０を構成する部品の部品点数が増大するのを抑制することができ、しかも端子台１０への組み付け作業を簡素化することができる。
【００４１】
なお、本発明は、前記実施形態に限られるものではなく、その趣旨を逸脱しない範囲で種々変更、改良等が可能である。例えば、前記実施形態では、端子接続継ぎ手１６が１枚の板材によって成形された構成としたが、これに限られない。端子接続継ぎ手１６が、筒部３１と、接触部３２ｃと、接触部３２ｃを弾性的に支持する弾性支持部とが別個に成形された上で、後から互いに組み付けられる構成としてもよい。
【００４２】
前記実施形態では、雄ねじ部１８ａと頭部１８ｂとを有する固定ボルト１８を備えた構成としたが、これに限られない。雄ねじ部１８ａとこの雄ねじ部１８ａに螺合されるナットとを備えた締結部としてもよい。この構成では、ナットを締め付けていくことにより、ワッシャー３６を介してナットが挟持部３３を押圧することとなる。なお、ワッシャー３６を省略してもよい。
【符号の説明】
【００４３】
１０  端子台
１２  ベース
１４  端子部
１４ａ  ねじ孔
１４ｂ  周面
１４ｃ  凹溝
１４ｄ  溝
１６  端子接続継ぎ手
１８  固定ボルト
１８ａ  雄ねじ部
１８ｂ  頭部
２０  平板状端子
３１  筒部
３１ａ  内周面
３１ｂ  突出部
３２  受け部
３２ａ  延出部
３２ｂ  曲がり部
３２ｃ  接触部
３２ｅ  下面
３２ｆ  上面
３３  挟持部
３３ｃ  下面
３３ｄ  上面
３６  ワッシャー
３８  コイルばね
【図１】
2014116222.tif 000003
【図２】
2014116222.tif 000004
【図３】
2014116222.tif 000005
【図４】
2014116222.tif 000006